(57)【要約】ポータブル・プリンター・スキャナー（１０）は、印刷ヘッド装置とスキャナー・ヘッドとを含んでいる。予め印刷された画像（２２）は、本装置をその上を通過させることによりスキャンすることができる。本プリンター・スキャナーは、ユーザーがページ（２０）に対して移動させ、スキャン動作中に格納された画像（２２）を印刷することができる。
2005518156.tif 000002
【特許請求の範囲】
【請求項１】
ユーザーがある表面に対して移動させることができるようにされ、スキャン・モードと印刷モードとで動作可能な複合プリンター・スキャナーであって、
前記ユーザーが前記プリンター・スキャナーを前記表面に対して移動させる速度を測定するようにされた速度センサーと、
前記速度センサーと同期され、前記プリンター・スキャナーがスキャン・モードの場合に、前記ユーザーが前記プリンター・スキャナーを前記表面に対して移動させるときに、前記表面上に配置された画像を表す画像データを取り込むようにされたスキャン装置と、
前記画像データを格納するようにされたメモリーと、
前記速度センサーと同期され、前記プリンター・スキャナーが印刷モードの場合に、前記ユーザーが前記プリンター・スキャナーを印刷媒体に対して移動させるときに、前記印刷媒体上への画像データの印刷を実行するようにされた印刷ヘッド装置と、
前記速度センサー、前記スキャン装置、前記メモリーおよび前記印刷ヘッド装置を収容するようにされた筐体と、を備えるプリンター・スキャナー。
【請求項２】
前記印刷ヘッド装置が複数のインク吐出ノズルを備える、請求項１のプリンター・スキャナー。
【請求項３】
（ａ）前記メモリーに格納された画像データを、複数の液滴吐出制御信号に変換するようにされ、
（ｂ）前記速度センサーから、前記ユーザーが前記プリンター・スキャナーを前記印刷媒体に対して移動させる速度を表す速度データを受け取るようにされ、かつ、
（ｃ）前記液滴吐出制御信号に従って、前記速度データを用いて決定される速度で、前記印刷ヘッド装置の前記インク吐出ノズルを動作させ、それにより前記印刷媒体上への画像データの印刷を実行するようにされた
印刷制御装置をさらに備える、請求項２のプリンター・スキャナー。
【請求項４】
前記表面と接触して動作し、前記プリンター・スキャナーが前記表面を横切るに従って回転するようにされた光学エンコーダー・ホイールを前記速度センサーが備える、請求項１のプリンター・スキャナー。
【請求項５】
前記光学エンコーダー・ホイールが、
円周方向に間隔を空けて配置された一連のマークと、
光学センサーであり、前記光学エンコーダー・ホイールの回転中に該光学センサーを前記マークが通過するときに前記マークを検出するための光学センサーと、を備える、請求項６のプリンター・スキャナー。
【請求項６】
前記筐体内に収容された電源をさらに備え、該電源は、電池とインク供給品とがその中に配置されたカートリッジを備え、該カートリッジは、前記電池と前記インク供給品とを実質的に同時に取り外しかつ交換することを可能にするように、前記筐体から着脱可能である、請求項１のプリンター・スキャナー。
【請求項７】
キャップ装置であり、該キャップ装置が実質的に前記インク吐出ノズルからのインクの吐出を遮るところのキャップ位置と、前記キャップ装置が実質的に前記インク吐出ノズルからのインクの吐出を遮らないところの非キャップ位置との間で移動可能であるキャップ装置と、
前記ユーザーが前記印刷媒体に対して前記印刷ヘッド装置を移動させるときに、前記ユーザーが操作可能であるようにして前記プリンター・スキャナー上に配置されたキャップ作動装置と、をさらに備える、請求項２のプリンター・スキャナー。
【請求項８】
前記キャップ装置に前記キャップ位置へ向けてバイアスをかけておくようにされたバイアス部材をさらに備える、請求項７のプリンター・スキャナー。
【請求項９】
前記キャップ装置が、前記プリンター上に回転軸的に取り付けられた取付部と、該取付部から遠位端部へと実質的に直角に延びるキャップ・アームとを備えており、前記遠位端部は、前記キャップ装置が前記プリンター・スキャナーに取り付けられかつ前記キャップ位置にあるときに前記インク吐出ノズルからのインクの吐出を実質的に遮るように、前記インク吐出ノズルに隣接して存在している、請求項７のプリンター・スキャナー。
【請求項１０】
前記キャップ装置の前記取付部上に形成されたフィンガーパッドをさらに備える、請求項９のプリンター・スキャナー。
【請求項１１】
前記メモリーが、印刷可能な情報を格納するようにもされており、また前記印刷ヘッド装置は、前記ユーザーが前記印刷媒体に対して前記プリンター・スキャナーを移動させるときに、前記印刷媒体上への前記印刷可能な情報の印刷を実行するようにされている、請求項１のプリンター・スキャナー。
【請求項１２】
前記印刷可能な情報が、外部の情報源から前記プリンター・スキャナーへと通信受信機を介して渡される、請求項１１のプリンター・スキャナー。
【請求項１３】
前記通信受信機は赤外線受信機であり、前記プリンター・スキャナーは、前記赤外線受信機に向かって赤外線信号が透過する赤外線窓をさらに備える、請求項１２のプリンター・スキャナー。
【請求項１４】
インクを貯蔵するように、かつ前記インクを前記印刷ヘッド装置へと供給するようにされたインク供給品をさらに備える、請求項１のプリンター・スキャナー。
【請求項１５】
実質的に図面を参照して明細書中で説明されたようなプリンター・スキャナー。
【発明の詳細な説明】
【発明の分野】
【０００１】
以下の発明は、プリンターおよび複写機技術における改良物に関し、特に、ドロップオンデマンド・プリンターに関し、さらに特には、ユーザーがある表面を横切って掃引してスキャンおよび印刷動作の両方を実行できる、印刷幅ドロップオンデマンド固定印刷ヘッドシステムを有する複合プリンター・スキャナーに関する。
【背景】
【０００２】
既知の従来技術のプリンターは、通常、印刷媒体の供給品を組み込んでおり、印刷媒体送り機構を用いて、印刷媒体を、印刷ヘッドを通過させて移送し、印刷媒体上への印刷を実行する。印刷動作中に、印刷媒体の速度と印刷ヘッドの印刷速度とを同期させて、印刷される画像の忠実な再現を確実にすることが不可欠である。従来、印刷媒体と印刷ヘッドとの同期をとることは、比較的容易に達成されていたが、これは、印刷媒体の供給品を含む印刷媒体送り機構が、プリンターまたは複写機と一体の部分を構成しているからである。そのため、印刷媒体の速度は、印刷ヘッドおよび印刷制御装置が動作する速度と同様に、既知で固定されており、これらの機構の間の同期は、歯車、ステップ・モーター等のような単純な機械的機構を用いて達成される。
【０００３】
しかし、そのような機構のために、とりわけ印刷媒体の供給品をプリンター内に収容する必要があるために、これらのプリンターは他の場合に必要であるものよりも大きくかつ重くなっていた。一体構造の印刷幅ドロップオンデマンド印刷ヘッド装置（印刷ヘッドは固定されている）を用いている、よりコンパクトなプリンターや複写機においてさえもなお、インクの吐出と印刷媒体の移送との間の適切な同期を確実にするために、印刷媒体の供給品と印刷媒体駆動機構とをプリンターに組み込ませる必要がある。こうして、これらの要求が、可能な最小プリンターのサイズを制限している。
【０００４】
従来の電子複写機は、かさばりかつ携行不可能な装置である。最近のパーソナル・コンピューターは、コンピューターがそれと通信するスキャナーおよびプリンターを有していれば、かさばる電子複写機の基本的な機能を実行することができる。電子複写機は、上で注記したのと同じ問題をこうむっている。すなわち、それらは、印刷媒体の供給品を格納しなければならず、また複写が行われているときに印刷機構を通過させて媒体を案内するために必要な媒体転送部品を設けなければならなかった。
【同時係属出願】
【０００５】
本発明に関連するさまざまな方法、システムおよび装置が、本発明の出願人または譲受人によって本出願と同時に出願された下記の同時係属出願に開示されている。
AP39          AP43          AP44          AP46          AP47          AP48   
AP49          AP50          AP51          AP52          AP53          AP55   
AP58          AP60          AP61          AP62          AP63          AP64   
AP65          AP66          AP67          AP68          AP69          AP70   
AP71          AP77          AP78          AP79
これらの同時係属出願の開示は、相互参照のため本明細書に援用する。それぞれの出願は、暫定的にそのファイル・リファレンスで特定される。これは、入手可能となったときに、対応するＰＣＴ出願番号と取り替えられる。
【０００６】
〔関連特許出願および特許〕
US6,227,652          US6,213,588          US6,213,589          US6,231,163
US6,247,795          US6,394,581          US6,244,691          US6,257,704
US6,416,168          US6,220,694          US6,257,705          US6,247,794
US6,234,610          US6,247,793          US6,264,306          US6,241,342
US6,247,792          US6,264,307          US6,254,220          US6,234,611
US6,302,528          US6,283,582          US6,239,821          US6,338,547
US6,247,796          US09/113,122         US6,390,603          US6,362,843
US6,293,653          US6,312,107          US6,227,653          US6,234,609
US6,238,040          US6,188,415          US6,227,654          US6,209,989
US6,247,791          US6,336,710          US6,217,153          US6,416,167
US6,243,113          US6,283,581          US6,247,790          US6,260,953
US6,267,469          US6,273,544          US6,309,048          US6,420,196
US6,443,558          US09/422,892         US6,378,989          US09/425,420
US09/422,893         US09/609,140         US6,409,323          US6,281,912
US09/575,113         US6,318,920          US6,488,422          US09/693,644
US6,457,810          US6,485,135          US09/112,763         US6,331,946
US6,246,970          US6,442,525          US09/505,951         US09/505,147
US09/505,952         US09/575,108         US09/575,109         US09/575,110
US09/607,985         US6,398,332          US6,394,573          US09/606,999 
US6,238,044          US6,425,661          US6,390,605          US6,322,195
US09/504,221         US6,480,089          US6,460,778          US6,305,788
US6,426,014          US6,364,453          US6,457,795          US09/556,219
US09/556,218         US6,315,399          US6,338,548          US09/575,190
US6,328,431          US6,328,425          US09/575,127         US6,383,833
US6,464,332          US6,390,591          US09/575,152         US6,328,417
US6,322,194          US09/575,177         US09/575,175         US6,417,757
US09/608,780         US6,428,139          US09/607,498         US09/693,079
US09/693,135         US6,428,142          US09/692,813         US09/693,319
US09/693,311         US6,439,908          US09/693,735         PCT/AU98/00550
PCT/AU00/00516       PCT/AU00/00517       PCT/AU00/00511       PCT/AU00/00754
PCT/AU00/00755       PCT/AU00/00756       PCT/AU00/00757       PCT/AU00/00095
PCT/AU00/00172       PCT/AU00/00338       PCT/AU00/00339       PCT/AU00/00340
PCT/AU00/00341       PCT/AU00/00581       PCT/AU00/00580       PCT/AU00/00582
PCT/AU00/00587       PCT/AU00/00588       PCT/AU00/00589       PCT/AU00/00583
PCT/AU00/00593       PCT/AU00/00590       PCT/AU00/00591       PCT/AU00/00592
PCT/AU00/00584       PCT/AU00/00585       PCT/AU00/00586       PCT/AU00/00749
PCT/AU00/00750       PCT/AU00/00751       PCT/AU00/00752       PCT/AU01/01332
PCT/AU01/01318       PCT/AU00/01513       PCT/AU00/01514       PCT/AU00/01515
PCT/AU00/01516       PCT/AU00/01517       PCT/AU00/01512       PCT/AU01/00502
PCT/AU02/01120       PCT/AU00/00333       PCT/AU01/00141       PCT/AU01/00139
PCT/AU01/00140       PCT/AU00/00753       PCT/AU01/01321       PCT/AU01/01322
PCT/AU01/01323       PCT/AU00/00594       PCT/AU00/00595       PCT/AU00/00596
PCT/AU00/00597       PCT/AU00/00598       PCT/AU00/00741       PCT/AU00/00742
【発明の開示】
【０００７】
本発明の第１の態様によると、ユーザーがある表面に対して移動させることができるようにされ、スキャン・モードと印刷モードとで動作可能な複合プリンター・スキャナーであって、
前記ユーザーが前記プリンター・スキャナーを前記表面に対して移動させる速度を測定するようにされた速度センサーと、
前記速度センサーと同期され、前記プリンター・スキャナーがスキャン・モードの場合に、前記ユーザーが前記プリンター・スキャナーを前記表面に対して移動させるときに、前記表面上に配置された画像を表す画像データを取り込むようにされたスキャン装置と、
前記画像データを格納するようにされたメモリーと、
前記速度センサーと同期され、前記プリンター・スキャナーが印刷モードの場合に、前記ユーザーが前記プリンター・スキャナーを印刷媒体に対して移動させるときに、前記印刷媒体上への画像データの印刷を実行するようにされた印刷ヘッド装置と、
前記速度センサー、前記スキャン装置、前記メモリーおよび前記印刷ヘッド装置を収容するようにされた筐体と、を備えるプリンター・スキャナーが開示されている。
【０００８】
好ましくは、前記印刷ヘッド装置が複数のインク吐出ノズルを備えている。
【０００９】
好ましくは、前記プリンター・スキャンナーは、
（ａ）前記メモリーに格納された画像データを、複数の液滴吐出制御信号に変換するようにされ、
（ｂ）前記速度センサーから、前記ユーザーが前記プリンター・スキャナーを前記印刷媒体に対して移動させる速度を表す速度データを受け取るようにされ、かつ、
（ｃ）前記液滴吐出制御信号に従って、前記速度データを用いて決定される速度で、前記印刷ヘッド装置の前記インク吐出ノズルを動作させ、それにより前記印刷媒体上への画像データの印刷を実行するようにされた
印刷制御装置をさらに備えている。
【００１０】
好ましくは、前記表面と接触して動作し、前記プリンター・スキャナーが前記表面を横切るに従って回転するようにされた光学エンコーダー・ホイールを前記速度センサーが備えている。さらに好ましくは、前記光学エンコーダー・ホイールが、
円周方向に間隔を空けて配置された一連のマークと、
光学センサーであり、前記光学エンコーダー・ホイールの回転中に該光学センサーを前記マークが通過するときに前記マークを検出するための光学センサーと、を備えている。
【００１１】
好ましくは、前記プリンター・スキャナーは、前記筐体内に収容された電源をさらに備え、該電源は、電池とインク供給品とがその中に配置されたカートリッジを備え、該カートリッジは、前記電池と前記インク供給品とを実質的に同時に取り外しかつ交換することを可能にするように、前記筐体から着脱可能である。
【００１２】
好ましくは、前記プリンター・スキャナーは、
キャップ装置であり、該キャップ装置が実質的に前記インク吐出ノズルからのインクの吐出を遮るところのキャップ位置と、前記キャップ装置が実質的に前記インク吐出ノズルからのインクの吐出を遮らないところの非キャップ位置との間で移動可能であるキャップ装置と、
前記ユーザーが前記印刷媒体に対して前記印刷ヘッド装置を移動させるときに、前記ユーザーが操作可能であるようにして前記プリンター・スキャナー上に配置されたキャップ作動装置と、をさらに備えている。
【００１３】
好ましくは、前記プリンター・スキャナーは、前記キャップ装置に前記キャップ位置へ向けてバイアスをかけておくようにされたバイアス部材をさらに備えている。
【００１４】
好ましくは、前記キャップ装置が、前記プリンター上に回転軸的に取り付けられた取付部と、該取付部から遠位端部へと実質的に直角に延びるキャップ・アームとを備えており、前記遠位端部は、前記キャップ装置が前記プリンター・スキャナーに取り付けられかつ前記キャップ位置にあるときに前記インク吐出ノズルからのインクの吐出を実質的に遮るように、前記インク吐出ノズルに隣接して存在している。
【００１５】
好ましくは、前記プリンター・スキャナーは、前記キャップ装置の前記取付部上に形成されたフィンガーパッドをさらに備えている。
【００１６】
好ましくは、前記メモリーが、印刷可能な情報を格納するようにもされており、また前記印刷ヘッド装置は、前記ユーザーが前記印刷媒体に対して前記プリンター・スキャナーを移動させるときに、前記印刷媒体上への前記印刷可能な情報の印刷を実行するようにされている。
【００１７】
好ましくは、前記印刷可能な情報が、外部の情報源から前記プリンター・スキャナーへと通信受信機を介して渡される。さらに好ましくは、前記通信受信機は赤外線受信機であり、前記プリンター・スキャナーは、前記赤外線受信機に向かって赤外線信号が透過する赤外線窓をさらに備えている。
【００１８】
好ましくは、前記プリンター・スキャナーは、インクを貯蔵するように、かつ前記インクを前記印刷ヘッド装置へと供給するようにされたインク供給品をさらに備えている。
【００１９】
本発明の好ましい形態を、添付の図面を参照して、ほんの一例として次に説明する。
【好ましい実施形態の説明】
【００２０】
図面を参照すると、本発明のプリンター・スキャナーの好ましい実施形態は、概して図１の１０で示している。この図においては、プリンター・スキャナー１０は、ユーザーの誘導のもとで、ページ２０を矢印２１の方向に横切り、画像２２をページ２０からスキャンする。
【００２１】
図２に示すように、プリンター・スキャナー１０はまた、ユーザーによって誘導されて、矢印２１の方向にページ２０Ａを横切り、画像２２Ａをページ２０Ａ上に印刷することもできる。この印刷された画像は、画像２２を再現したものとできるが、さもなければ、プリンター・スキャナーが使用される状態に依存して、どのような他の画像でもありえる。
【００２２】
プリンター・スキャナー１０の分解図を図３に示す。プリンター・スキャナー１０は、下部成形品１１と、上部成形品１２と、着脱可能エンドキャップ１３とを含んでおり、そのそれぞれは、任意の好適なプラスチック、金属または同様の材料で形成することができるものである。
【００２３】
上部および下部の成形品はそれぞれ、成形品の各端部でその底面に形成された媒体滑り面１４を含んでいる。滑り面１４は、成形品の底面から突出しており、プリンター・スキャナーが印刷媒体を横切るときに、プリンター・スキャナーを上げておくように機能する。これにより印刷ヘッドと印刷媒体との間の摩擦が最小限となり、またこれは、プリンター・スキャナーと、新しく印刷されたインクとの間の接触を防止し、このインクはさもなければ印刷された画像を乱し得るものである。
【００２４】
上部および下部成形品は、接合されると、印刷中にそこを通してインクを吐出させるインク吐出スロット１５（図５）を現れさせる。キャップ装置５０（好ましくは金属製）は、上部成形品１２に形成された凹部１７に受け入れられる。キャップ装置５０は、キャップ装置５０のキャップ・アーム５２がインク吐出スロット１５をふさぐキャップ位置から、インク吐出が制限されない非キャップ位置まで、回転軸のまわりで回転する。キャップ装置５０の操作は、キャップと一体に形成されたフィンガーパッド５５を用いて行われる。
【００２５】
内部では、プリンター・スキャナー１０は、インク吐出ノズル３１の配列に通じる複数のインク分配流路がその中に配置されているところの印刷ヘッド・モジュール３０を含んでおり、前記インク吐出ノズル３１は、上部成形品１２と下部成形品１１との間に形成されたインク吐出スロット１５と位置合わせされているものである。インク供給カートリッジ３２は、フルカラー印刷に備えて好ましくは４色の、すなわちシアン、マゼンタ、イエローおよびブラックの、インクを貯蔵している。代わりに、または加えて、赤外線インクを供給してもよい。インク・カートリッジ３２は、インク用コネクタ３３を通して、印刷ヘッド・モジュール３０のインク分配流路に、インクを供給する。
【００２６】
既知の多くの印刷ヘッド・モジュールおよびインク供給系のうちのいずれもが、本発明とともに使用するのに好適でありえるので、そのような機構のさらなる説明はここでは省略する。本発明とともに用いるのに好適な印刷ヘッド・モジュールおよびインク供給系の詳細は、本明細書の最初に列挙した同時係属出願の中に見出すことができる。
【００２７】
スキャナー・ヘッド６１は、下部成形品１１内に組み込まれ、電力を受けてフレキシブル・プリント回路基板３４を介して信号データを送信する。スキャナー・ヘッド６１は、ポータブルな手持ち式スキャンに好適な、従来のまたは新しい、どのようなスキャナー・ヘッドともできる。
【００２８】
印刷制御装置３６（不図示）は、プリンター・スキャナーのメモリー内に格納された画像データを、一連の電気的な「液滴吐出」信号に変換するマイクロプロセッサーを含んでいる。この信号は、印刷動作中に既知の方法で印刷ヘッド・モジュール３０へと伝えられ、インク吐出ノズル３１からインクを選択的に吐出させる。
【００２９】
プリンター・スキャナーのメモリーは、通常、スキャナー・ヘッド６１からフレキシブル・プリント回路基板３４を介して画像データを受け取る。
【００３０】
印刷制御装置３６はまた、外部装置と通信して、印刷命令（特にデジタル画像データ）を受け取ることもできる。示した実施形態においては、デジタル画像データは、プリンター・スキャナー１０の一端部パネルに形成されたＩＲ受光窓３７を通して、赤外線（ＩＲ）信号として印刷制御装置３６に供給してもよい。印刷制御装置マイクロプロセッサー３６に電気的に接続されたＩＲ受信機３７が、このデータを受け取り、このデータはそれからメモリー内に格納される。代替の実施形態においては（不図示）、印刷制御装置マイクロプロセッサーは、例えば他の電子機器（例えばコンピューター、スキャナー、複写機、デジタル・カメラ等）へのハードワイヤ接続、無線電気通信（例えばＷＡＰ等）といった、任意の他の好適な接続を通して、またはプラグ・ソケット接続もしくはデータ・ポートを通して通信してもよい。また他の情報（例えば印刷制御命令）を、上記システムを用いて外部装置からプリンター・スキャナーに与えてもよい。さらなる実施形態においては、印刷制御装置マイクロプロセッサーは、独自のグラフィックス生成機能を有していてもよい。
【００３１】
上部および下部成形品は、電池４２（例えば１．５ＶのＡＡＡ形（単４形）電池２本）をその中に収容するための凹部を与えている。フレキシブル・プリント回路基板（ＰＣＢ）３４は、母線（不図示）をその上に有しており、該母線は、電池４２から、印刷ヘッド・モジュール３０、印刷制御装置マイクロプロセッサー３６および任意の他の電動部品へと電力を伝えるものである。
【００３２】
プリンター・スキャナー１０の一端部パネルに形成された電源スイッチ４３は、通電モードか非通電モードかにプリンター・スキャナーを動かすように、ユーザーによって操作される。
【００３３】
電池４２は、上部および下部成形品の間に形成された開口４６を通してプリンター・スキャナー１０から着脱可能である。インク・カートリッジは、同様の開口４７を通して取外しおよび交換をすることができる。図３に図示されているように、まずエンドキャップ１３をプリンター・スキャナー１０から取り外して開口４６、４７をあらわにし、その後、電池および／またはインク・カートリッジを交換することができる。ここでは図示していないさらなる実施形態においては、電池およびインク・カートリッジは、着脱可能な容器内に一体ユニットとして設け、ただ１つの開口をプリンター・スキャナー１０の端部に形成して、その容器を受け入れるようにしてもよい。
【００３４】
複数の状態表示用発光ダイオード（ＬＥＤ）４９ａ、４９ｂ、４９ｃ（図４）が、マイクロプロセッサーに電気的に接続され、プリンター・スキャナー１０の外面に配置されている。独立した各ＬＥＤは、ロー・バッテリー、ロー・インク、または一般のプリンター・スキャナー動作エラー状態のようなエラー状態、ならびに一般のプリンター・スキャナーのオン／オフ状態を表示するのに使用することができる。
【００３５】
スキャン動作を行うためには、ユーザーは、まず電源スイッチ４３を用いて本装置のスイッチをオンにする。それから「スキャン」ボタンを押し下げてもよく、または本装置をスキャン・モードにするようになにか別の方法で操作してもよい。それから図１に示すように、スキャン・ヘッド６１が予め印刷された画像２２をスキャンし、オンボード・メモリー・チップ等に格納するように、プリンター・スキャナーを画像上で引く。
【００３６】
印刷を行うためには、ユーザーはまず、キャップ装置５０を動かし、下記のように、印刷ヘッド・チップ３１（図５）を印刷媒体に対して露出させる。印刷媒体は、プリンター・スキャナーに貯蔵されたタイプのインクを受け入れるのに好適などんな繊維製品でもよく、とりわけ、紙、厚紙、木、布およびプラスチックが含まれうる。プリンター・スキャナー１０は、印刷を開始するために、すなわち印刷制御マイクロプロセッサーの制御下で印刷ヘッドからのインクの吐出を開始するためにユーザーが押し下げる制御ボタンをさらに含んでもよい。代わりに、ユーザーは開始すべき印刷に対して準備ができている、ということの信号として、キャッパー１６の動作を検出してもよい。それからユーザーは、図２に図示されているように、プリンター・スキャナー１０を用いて印刷媒体２０を横切る。
【００３７】
印刷速度を制御するために、プリンター・スキャナー１０は、印刷ヘッド・モジュール３０の一端に取り付けられた光学エンコーダー・ホイール３９（図３）を含んでいる。光学エンコーダー・ホイール３９は、上部および下部成形品にそれぞれ形成されたスロット４１ａおよび４１ｂに収容され、該成形品から、ホイール３９のリムが媒体滑り面１４と同じ高さとなる位置まで延在している（図５参照）。光学エンコーダー・ホイール３９上の、円周方向に間隔を空けて配置されたマークが、ホイール３９が回転するときに、光学センサーにより読み取られる。
【００３８】
光学センサーは、例えばＬＥＤといった光源と、光検出器とを含んでおり、該光検出器は、その検出器上に入射する光の量に応じて電気的応答を生じるものである。エンコーダー・ホイール３９の光反射特性は、マークの付けられた領域と、マークの付けられていない領域との間で変化し、これにより、マークが検出器を通過して回転するにつれて、検出器の応答の変化が生じる。検出器が応答する周波数により、エンコーダー・ホイールが回転している速度の測定値が与えられる。検出器の応答は、印刷制御マイクロプロセッサー３６に伝えられ、該プロセッサーは、この信号を用いて印刷ヘッド・モジュールが印刷媒体を横切って移動しているところの速度を計算するための信号を用いるものである。そして印刷制御装置は、液滴吐出制御信号がインク吐出ノズルに送り出される速度と、プリンター・スキャナーがその速度で移動しているところの測定された速度とを同期させる。こうして、プリンター・スキャナー１０は、印刷の連続するラインの適切な印刷ドット間隔を確保することができ、これにより、たとえ印刷ヘッドに対して印刷媒体が移動する速度をプリンター・スキャナーが制御しなくても、印刷画像の忠実な再現を作り出すことができる。
【００３９】
さらに、エンコーダー・ホイール３９上のマークの数が十分大きければ、マイクロプロセッサー３６は、ユーザーが印刷媒体を横切ってプリンター・スキャナーを移動させる可能性があるところの速度の変動に素早く適応することができ、これにより高品質の画像が得られる。
【００４０】
同じようにして、光学エンコーダー・ホイール３９を、必要に応じて、スキャナー・ヘッド６１と機能的に関連付けて、スキャン速度と、本装置が予め印刷された画像上を引かれる速度とを同期させてもよい。
【００４１】
アイドラーホイール４４が、プリンター・スキャナーの安定性と方向制御を与えるように、印刷ヘッド・モジュール３０の反対側の端に取り付けらている。アイドラーホイール４４とエンコーダー・ホイール３９とを軸で結合すれば、各ホイールの回転速度を一致させ、これによりページ上での本装置の正確な直線の軌跡を維持することができる。
【００４２】
光学エンコーダー・ホイール３９またはアイドラーホイール４４は、ユーザーが印刷ヘッド・モジュール３０の最高動作速度よりも速い速度でプリンター・スキャナーを印刷媒体に沿って移動させることを防止する、摩擦クラッチのような速度リミッターを有していてもよい。さらに、いずれかまたは両方のホイールは、プリンター・スキャナーが印刷方向と反対に動かされるのを防止するための、爪車のような仕組みを有していてもよい。
【００４３】
キャップ機構５０の動作は、本願と同時に出願され「キャップ装置付きプリンター」と題された事件番号ＡＰ４４を有する我々の同時係属出願に記載されている。
【００４４】
接触センサー（不図示）が、印刷しようとするのはキャップ装置５０が非キャップ位置にある時のみであるように、キャップ装置５０が非キャップ位置に動かされたときを検出し、キャップ装置の状態を印刷制御マイクロプロセッサー３６に伝えてもよい。
【００４５】
本発明のプリンター・スキャナー１０は、外部装置から画像データをダウンロードする、プリンター・スキャナーが画像の最初から印刷を開始するように未完の印刷動作をリセットする等というようなプリンター・スキャナーの動作を行うようにマイクロプロセッサーを制御するためのキーを含んでもよい。代わりに、これらの機能を、前に記載したＩＲデータ・ポートを通してプリンター・スキャナーに伝えてもよい。
【図面の簡単な説明】
【００４６】
【図１】ページから画像をスキャンするのに使用中の状態を示すプリンター・スキャナーの斜視図である。
【図２】印刷動作で使用中の図１のプリンター・スキャナーの斜視図である。
【図３】図１および図２のプリンター・スキャナーの分解図である。
【図４】前記プリンター・スキャナーの斜視端面図である。
【図５】前記プリンター・スキャナーの反転斜視図である。
【図１】
2005518156.tif 000003
【図２】
2005518156.tif 000004
【図３】
2005518156.tif 000005
【図４】
2005518156.tif 000006
【図５】
2005518156.tif 000007
【手続補正書】
【提出日】平成15年12月15日(2003.12.15)
【手続補正１】
【補正対象書類名】特許請求の範囲
【補正対象項目名】全文
【補正方法】変更
【補正の内容】
【特許請求の範囲】
【請求項１】
ユーザーがある表面に対して移動させることができるようにされ、スキャン・モードと印刷モードとで動作可能な複合プリンター・スキャナーであって、
前記ユーザーが前記プリンター・スキャナーを前記表面に対して移動させる速度を測定するようにされた速度センサーと、
前記速度センサーと同期され、前記プリンター・スキャナーがスキャン・モードの場合に、前記ユーザーが前記プリンター・スキャナーを前記表面に対して移動させるときに、前記表面上に配置された画像を表す画像データを取り込むようにされたスキャン装置と、
前記画像データを格納するようにされたメモリーと、
前記速度センサーと同期され、前記プリンター・スキャナーが印刷モードの場合に、前記ユーザーが前記プリンター・スキャナーを印刷媒体に対して移動させるときに、前記印刷媒体上への画像データの印刷を実行するようにされた印刷ヘッド装置と、
前記速度センサー、前記スキャン装置、前記メモリーおよび前記印刷ヘッド装置を収容するようにされた筐体と、
キャップ位置および非キャップ位置の間で移動可能であり、これにより前記印刷ヘッドを選択的にキャップするキャップ装置と、を備えるプリンター・スキャナー。
【請求項２】
前記印刷ヘッド装置が複数のインク吐出ノズルを備える、請求項１のプリンター・スキャナー。
【請求項３】
（ａ）前記メモリーに格納された画像データを、複数の液滴吐出制御信号に変換するように、
（ｂ）前記速度センサーから、前記ユーザーが前記プリンター・スキャナーを前記印刷媒体に対して移動させる速度を表す速度データを入力するように、および
（ｃ）前記液滴吐出制御信号に従って、前記速度データを用いて決定される速度で、前記印刷ヘッド装置の前記インク吐出ノズルを動作させ、それにより前記印刷媒体上への画像データの印刷を実行するようにされた印刷制御装置をさらに備える、請求項２のプリンター・スキャナー。
【請求項４】
前記表面と接触して動作し、前記プリンター・スキャナーが前記表面を横切るに従って回転するようにされた光学エンコーダー・ホイールを前記速度センサーが備える、請求項１のプリンター・スキャナー。
【請求項５】
前記光学エンコーダー・ホイールが、
円周方向に間隔を空けて配置された一連のマークと、
光学センサーであり、前記光学エンコーダー・ホイールの回転中に該光学センサーを前記マークが通過するときに前記マークを検出するための光学センサーと、を備える、請求項６のプリンター・スキャナー。
【請求項６】
前記筐体内に収容された電源をさらに備え、該電源は、電池とインク供給品とがその中に配置されたカートリッジを備え、該カートリッジは、前記電池と前記インク供給品とを実質的に同時に取り外しかつ交換することを可能にするように、前記筐体から着脱可能である、請求項１のプリンター・スキャナー。
【請求項７】
前記キャップ装置が実質的に前記インク吐出ノズルからのインクの吐出を遮るところのキャップ位置と、前記キャップ装置が実質的に前記インク吐出ノズルからのインクの吐出を遮らないところの非キャップ位置との間で移動可能である前記キャップ装置と、
前記ユーザーが前記印刷媒体に対して前記印刷ヘッド装置を移動させるときに、前記ユーザーが操作可能であるようにして前記プリンター・スキャナー上に配置されたキャップ作動装置と、をさらに備える、請求項２のプリンター・スキャナー。
【請求項８】
前記キャップ装置が、前記プリンター上に回転軸的に取り付けられた取付部と、該取付部から遠位端部へと実質的に直角に延びるキャップ・アームとを備えており、前記遠位端部は、前記キャップ装置が前記プリンター・スキャナーに取り付けられかつ前記キャップ位置にあるときに前記インク吐出ノズルからのインクの吐出を実質的に遮るように、前記インク吐出ノズルに隣接して存在している、請求項７のプリンター・スキャナー。
【請求項９】
前記キャップ装置が、前記プリンター上に回転軸的に取り付けられた取付部と、該取付部から遠位端部へと実質的に直角に延びるキャップ・アームとを備えており、前記遠位端部は、前記キャップ装置が前記プリンター・スキャナーに取り付けられかつ前記キャップ位置にあるときに前記インク吐出ノズルからのインクの吐出を実質的に遮るように、前記インク吐出ノズルに隣接して存在している、請求項７のプリンター・スキャナー。
【請求項１０】
前記キャップ装置の前記取付部上に形成されたフィンガーパッドをさらに備える、請求項９のプリンター・スキャナー。
【請求項１１】
前記メモリーが、印刷可能な情報を格納するようにもされており、また前記印刷ヘッド装置は、前記ユーザーが前記印刷媒体に対して前記プリンター・スキャナーを移動させるときに、前記印刷媒体上への前記印刷可能な情報の印刷を実行するようにされている、請求項１のプリンター・スキャナー。
【請求項１２】
前記印刷可能な情報が、外部の情報源から前記プリンター・スキャナーへと通信受信機を介して入力される、請求項１１のプリンター・スキャナー。
【請求項１３】
前記通信受信機は赤外線受信機であり、前記プリンター・スキャナーは、赤外線信号が前記赤外線受信機に向かってそこを透過する赤外線窓をさらに備える、請求項１２のプリンター・スキャナー。
【請求項１４】
インクを貯蔵するように、かつ前記インクを前記印刷ヘッド装置へと供給するようにされたインク供給品をさらに備える、請求項１のプリンター・スキャナー。
【請求項１５】
実質的に図面を参照して明細書中で説明されたようなプリンター・スキャナー。
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
ユーザーがある表面に対して移動させることができるようにされ、スキャン・モードと印刷モードとで動作可能な複合プリンター・スキャナーであって、
前記ユーザーが前記プリンター・スキャナーを前記表面に対して移動させる速度を測定するようにされた速度センサーと、
前記速度センサーと同期され、前記プリンター・スキャナーがスキャン・モードの場合に、前記ユーザーが前記プリンター・スキャナーを前記表面に対して移動させるときに、前記表面上に配置された画像を表す画像データを取り込むようにされたスキャン装置と、
前記画像データを格納するようにされたメモリーと、
前記速度センサーと同期され、前記プリンター・スキャナーが印刷モードの場合に、前記ユーザーが前記プリンター・スキャナーを印刷媒体に対して移動させるときに、前記印刷媒体上への画像データの印刷を実行するようにされた印刷ヘッド装置と、
前記速度センサー、前記スキャン装置、前記メモリーおよび前記印刷ヘッド装置を収容するようにされた筐体と、
キャップ位置および非キャップ位置の間で移動可能であり、これにより前記印刷ヘッドを選択的にキャップするキャップ装置と、を備えるプリンター・スキャナー。
【請求項２】
前記印刷ヘッド装置が複数のインク吐出ノズルを備える、請求項１のプリンター・スキャナー。
【請求項３】
（ａ）前記メモリーに格納された画像データを、複数の液滴吐出制御信号に変換するように、
（ｂ）前記速度センサーから、前記ユーザーが前記プリンター・スキャナーを前記印刷媒体に対して移動させる速度を表す速度データを入力するように、および
（ｃ）前記液滴吐出制御信号に従って、前記速度データを用いて決定される速度で、前記印刷ヘッド装置の前記インク吐出ノズルを動作させ、それにより前記印刷媒体上への画像データの印刷を実行するようにされた印刷制御装置をさらに備える、請求項２のプリンター・スキャナー。
【請求項４】
前記表面と接触して動作し、前記プリンター・スキャナーが前記表面を横切るに従って回転するようにされた光学エンコーダー・ホイールを前記速度センサーが備える、請求項１のプリンター・スキャナー。
【請求項５】
前記光学エンコーダー・ホイールが、
円周方向に間隔を空けて配置された一連のマークと、
光学センサーであり、前記光学エンコーダー・ホイールの回転中に該光学センサーを前記マークが通過するときに前記マークを検出するための光学センサーと、を備える、請求項６のプリンター・スキャナー。
【請求項６】
前記筐体内に収容された電源をさらに備え、該電源は、電池とインク供給品とがその中に配置されたカートリッジを備え、該カートリッジは、前記電池と前記インク供給品とを実質的に同時に取り外しかつ交換することを可能にするように、前記筐体から着脱可能である、請求項１のプリンター・スキャナー。
【請求項７】
前記キャップ装置が実質的に前記インク吐出ノズルからのインクの吐出を遮るところのキャップ位置と、前記キャップ装置が実質的に前記インク吐出ノズルからのインクの吐出を遮らないところの非キャップ位置との間で移動可能である前記キャップ装置と、
前記ユーザーが前記印刷媒体に対して前記印刷ヘッド装置を移動させるときに、前記ユーザーが操作可能であるようにして前記プリンター・スキャナー上に配置されたキャップ作動装置と、をさらに備える、請求項２のプリンター・スキャナー。
【請求項８】
前記キャップ装置が、前記プリンター上に回転軸的に取り付けられた取付部と、該取付部から遠位端部へと実質的に直角に延びるキャップ・アームとを備えており、前記遠位端部は、前記キャップ装置が前記プリンター・スキャナーに取り付けられかつ前記キャップ位置にあるときに前記インク吐出ノズルからのインクの吐出を実質的に遮るように、前記インク吐出ノズルに隣接して存在している、請求項７のプリンター・スキャナー。
【請求項９】
前記キャップ装置の前記取付部上に形成されたフィンガーパッドをさらに備える、請求項８のプリンター・スキャナー。
【請求項１０】
前記メモリーが、印刷可能な情報を格納するようにもされており、また前記印刷ヘッド装置は、前記ユーザーが前記印刷媒体に対して前記プリンター・スキャナーを移動させるときに、前記印刷媒体上への前記印刷可能な情報の印刷を実行するようにされている、請求項１のプリンター・スキャナー。
【請求項１１】
前記印刷可能な情報が、外部の情報源から前記プリンター・スキャナーへと通信受信機を介して入力される、請求項１０のプリンター・スキャナー。
【請求項１２】
前記通信受信機は赤外線受信機であり、前記プリンター・スキャナーは、赤外線信号が前記赤外線受信機に向かってそこを透過する赤外線窓をさらに備える、請求項１１のプリンター・スキャナー。
【請求項１３】
インクを貯蔵するように、かつ前記インクを前記印刷ヘッド装置へと供給するようにされたインク供給品をさらに備える、請求項１のプリンター・スキャナー。
【国際調査報告】
2005518156.tif 000008
2005518156.tif 000009
2005518156.tif 000010